(57)【要約】【課題】パネル下地の調整作業を容易化し、かつスペース効率の向上を図ること。【解決手段】天井下地となる第１構造材２１０を躯体のスラブ面ＳＦに取り付けるための装置であって、スラブ面ＳＦに固定される基準部材２３１と、ネジ手段を介して基準部材２３１に連結し、かつ操作部２３８を介してネジ手段の回転軸心回りに相対回転させた場合に基準部材２３１に対して螺進する調整部材２３２と、第１構造材２１０を保持するための保持手段２４０を有し、かつネジ手段の回転軸心回りに回転可能となる態様で調整部材２３２に支持させた保持部材２３３とを備えている。【選択図】        図２
2006226074.tif 000002
【特許請求の範囲】
【請求項１】
構造材を躯体に取り付けることによって構築したパネル下地と、パネル下地を介して躯体表面に保持させたパネルとを備えたパネルユニットであって、
躯体表面に固定される基準部材と、
ネジ手段を介して基準部材に連結し、かつ操作部を介してネジ手段の回転軸心回りに相対回転させた場合に基準部材に対して螺進する調整部材と、
構造材を保持するための保持手段を有し、かつネジ手段の回転軸心回りに回転可能となる態様で調整部材に支持させた保持部材と
を備えて取付装置を構成し、この取付装置によって躯体表面に構造材によるパネル下地を構築したことを特徴とするパネルユニット。
【請求項２】
グラスウールを基材としてパネルを構成し、このパネルをパネル下地に保持させたことを特徴とする請求項１に記載のパネルユニット。
【請求項３】
パネルの外周部に樹脂製の縁部材を設けたことを特徴とする請求項１に記載のパネルユニット。
【請求項４】
パネル下地となる構造材を躯体に取り付けるための装置であって、
躯体表面に固定される基準部材と、
ネジ手段を介して基準部材に連結し、かつ操作部を介してネジ手段の回転軸心回りに相対回転させた場合に基準部材に対して螺進する調整部材と、
構造材を保持するための保持手段を有し、かつネジ手段の回転軸心回りに回転可能となる態様で調整部材に支持させた保持部材と
を備えたことを特徴とするパネル下地構造材の取付装置。
【請求項５】
ネジ手段は互いに螺合する雄ネジ部及び雌ネジ部を有して成り、基準部材から雄ネジ部を突設する一方、調整部材に雌ネジ部を形成したものであることを特徴とする請求項４に記載のパネル下地構造材の取付装置。
【請求項６】
調整部材の操作部は保持部材の保持手段に保持させた構造材に近接する位置に配置され、かつ構造材の両側面から突出する大きさを有することを特徴とする請求項４に記載のパネル下地構造材の取付装置。
【請求項７】
長手方向に沿ったスリットを有するとともに、このスリットの開口両縁部にそれぞれ内向きの係止爪を有した構造材を適用対象とし、
保持手段は構造材のスリットに予め設定した長さだけ挿入配置した場合に両側の係止爪それぞれに係合する挿入部分を有することを特徴とする請求項４に記載のパネル下地構造材の取付装置。
【請求項８】
保持部材は構造材の長手方向に沿った相対移動を規制する移動規制手段を備えたことを特徴とする請求項７に記載のパネル下地構造材の取付装置。
【発明の詳細な説明】
【技術分野】
【０００１】
本発明は、パネルユニット及びパネル下地構造材の取付装置に関するものである。
【背景技術】
【０００２】
例えば、躯体のスラブ面に天井パネルを取り付ける場合には、躯体のスラブ面に天井下地を構築し、この天井下地に天井パネルを保持させるのが一般的である。天井下地は、野縁及びこれを保持する野縁受けを備えて格子状に構築されたもので、躯体のスラブ面から吊り下げた吊りボルトにハンガーを介して吊下保持されている。ハンガーは、上下一対のナット部材によって吊りボルトの任意の高さ位置に取り付けられたもので、ナット部材を適宜螺進させることでその高さ調整、つまり天井下地のレベル調整を行うことが可能である（例えば、特許文献１参照）。
【０００３】
【特許文献１】特開２００１−１９３２１３号公報
【発明の開示】
【発明が解決しようとする課題】
【０００４】
ところで、特許文献１にあっては、天井下地のレベル調整を行う場合、吊りボルトに対するハンガーの位置を変更しなければならないため、ナット部材を締結・弛緩する作業が必須となる。つまり、既に構築した天井下地のレベル調整を行うためには、躯体のスラブ面と天井下地との間にスパナ等の工具を挿入し、さらにこれらの間において工具を回転操作させなければならない。
【０００５】
このような工具を用いたレベル調整であっても、躯体のスラブ面と天井下地との間に十分なスペースが確保されれば、操作を容易に行うことが可能である。しかしながら、躯体のスラブ面と天井下地との間のスペースは、居室空間として使用できないデッドスペースであり、これを大きく確保した場合、スペース効率を著しく低下させることになる。
【０００６】
尚、上述した問題は躯体のスラブ面と天井下地との間に限らず、例えば鉛直方向に沿って延在する立壁面とパネル下地との間においても同様に生じ得るものである。
【０００７】
本発明は、上記実情に鑑みて、パネル下地の調整作業を容易化し、かつスペース効率の向上を図ることのできるパネルユニット及びパネル下地構造材の取付装置を提供することを目的とする。
【課題を解決するための手段】
【０００８】
上記の目的を達成するために、本発明の請求項１に係るパネルユニットは、構造材を躯体に取り付けることによって構築したパネル下地と、パネル下地を介して躯体表面に保持させたパネルとを備えたパネルユニットであって、躯体表面に固定される基準部材と、ネジ手段を介して基準部材に連結し、かつ操作部を介してネジ手段の回転軸心回りに相対回転させた場合に基準部材に対して螺進する調整部材と、構造材を保持するための保持手段を有し、かつネジ手段の回転軸心回りに回転可能となる態様で調整部材に支持させた保持部材とを備えて取付装置を構成し、この取付装置によって躯体表面に構造材によるパネル下地を構築したことを特徴とする。
【０００９】
また、本発明の請求項２に係るパネルユニットは、上述した請求項１において、グラスウールを基材としてパネルを構成し、このパネルをパネル下地に保持させたことを特徴とする。
【００１０】
また、本発明の請求項３に係るパネルユニットは、上述した請求項１において、パネルの外周部に樹脂製の縁部材を設けたことを特徴とする。
【００１１】
また、本発明の請求項４に係るパネル下地構造材の取付装置は、パネル下地となる構造材を躯体に取り付けるための装置であって、躯体表面に固定される基準部材と、ネジ手段を介して基準部材に連結し、かつ操作部を介してネジ手段の回転軸心回りに相対回転させた場合に基準部材に対して螺進する調整部材と、構造材を保持するための保持手段を有し、かつネジ手段の回転軸心回りに回転可能となる態様で調整部材に支持させた保持部材とを備えたことを特徴とする。
【００１２】
また、本発明の請求項５に係るパネル下地構造材の取付装置は、上述した請求項４において、ネジ手段は互いに螺合する雄ネジ部及び雌ネジ部を有して成り、基準部材から雄ネジ部を突設する一方、調整部材に雌ネジ部を形成したものであることを特徴とする。
【００１３】
また、本発明の請求項６に係るパネル下地構造材の取付装置は、上述した請求項４において、調整部材の操作部は保持部材の保持手段に保持させた構造材に近接する位置に配置され、かつ構造材の両側面から突出する大きさを有することを特徴とする。
【００１４】
また、本発明の請求項７に係るパネル下地構造材の取付装置は、上述した請求項４において、長手方向に沿ったスリットを有するとともに、このスリットの開口両縁部にそれぞれ内向きの係止爪を有した構造材を適用対象とし、保持手段は構造材のスリットに予め設定した長さだけ挿入配置した場合に両側の係止爪それぞれに係合する挿入部分を有することを特徴とする。
【００１５】
また、本発明の請求項８に係るパネル下地構造材の取付装置は、上述した請求項７において、保持部材は構造材の長手方向に沿った相対移動を規制する移動規制手段を備えたことを特徴とする。
【発明の効果】
【００１６】
本発明によれば、構造材を保持させた後においても、調整部材の操作部を回転操作することによって躯体表面と保持手段との間の距離を変更することができるため、スパナ等の工具を用いることなくパネル下地の調整作業を容易に行うことができる。しかも、躯体表面と構造材との間にスパナ等の工具を回転操作するための作業スペースを確保する必要もなくなるため、躯体表面に対して構造材を近接配置することによりスペース効率の向上を図ることが可能となる。
【発明を実施するための最良の形態】
【００１７】
以下に添付図面を参照して、本発明に係るパネルユニット及びパネル下地構造材の取付装置の好適な実施の形態について詳細に説明する。
【００１８】
図１〜図３は、本発明の実施の形態であるパネルユニットを示したものである。ここで例示するパネルユニットは、躯体のスラブ面ＳＦにおいて柱Ｃ及び梁Ｂによって囲まれた領域毎に個別に天井を構成する天井パネルユニットであり、天井パネル１０と天井下地２００とを備えている。
【００１９】
天井パネル１０は、居室空間の天面を構成するもので、軽量で吸音性・保温性に優れたグラスウールを基材とし、表面材に化粧ガラス不織布を用いたものを適用している。この天井パネル１０は、塗装下地に防汚処理等の特殊処理を施し、通気による汚れの付着を抑制するように構成してある。
【００２０】
天井下地２００は、天井パネル１０を保持するための金属製フレームであり、野縁受けとなる複数の第１構造材２１０と、野縁となる複数の第２構造材２２０とを備えて格子状に構築してある。本実施の形態では、第１構造材２１０として所謂シングルＭバーと称されるものを適用する一方、第２構造材２２０として所謂Ｔバーと称されるものを適用している。シングルＭバーは、図２及び図４に示すように、上方となる面に長手方向に沿ってスリット２１１を有するとともに、このスリット２１１の開口両縁部にそれぞれ内向きの係止爪２１２を有した略角筒状の構造材である。Ｔバーは、図３に示すように、角柱状の係止部２２１から延在する垂下部２２２と、この垂下部２２２の両側からそれぞれ直角方向に延在した載置部２２３とを有した略逆Ｔ字状の構造材である。
【００２１】
また、天井下地２００は、これら第１構造材２１０及び第２構造材２２０を取り付けるための取付装置２３０及びハンガー２５０を備えている。
【００２２】
取付装置２３０は、第１構造材２１０を介して天井下地２００を躯体のスラブ面ＳＦに取り付けるためのもので、図３〜図９に示すように、基準部材２３１と調整部材２３２と保持部材２３３とを備えて構成してある。
【００２３】
基準部材２３１は、取着ネジ等の取着手段によりスラブ面ＳＦに固定される部分であり、プレート部２３４及び雄ネジ部２３５を有している。プレート部２３４は、矩形の平板状を成しており、適宜箇所に取着手段を挿通させるための挿通孔２３４ａを有している。雄ネジ部２３５は、外周部分にネジ溝を刻設した円柱状部分であり、プレート部２３４のほぼ中央となる部位から突設してある。これらプレート部２３４と雄ネジ部２３５との接合部位は、かしめにより互いに接合してあり、相対回転することはない。
【００２４】
調整部材２３２は、基準部材２３１の雄ネジ部２３５に装着される部分であり、雌ネジ部２３６、回転係止部２３７及び操作部２３８を有している。雌ネジ部２３６は、内周面にネジ溝を刻設した筒状部分であり、このネジ溝を介して基準部材２３１の雄ネジ部２３５に螺合することが可能である。回転係止部２３７は、雌ネジ部２３６の一端面から外方に向けて延在したフランジ状部分であり、雌ネジ部２３６と一体に形成してある。操作部２３８は、雌ネジ部２３６の一端部外周面から外方に向けて延在した円板状を成す部分であり、雌ネジ部２３６と一体回転するように取り付けてある。この操作部２３８は、上述した第１構造材２１０の幅ｄよりも十分に大きな外径を有するように構成してあり、第１構造材２１０の上面に接し合わせた場合にその両側面からそれぞれ突出した状態となる。尚、操作部２３８の外形は必ずしも円形である必要はなく、例えば六角形や八角形等の多角形状であっても良い。
【００２５】
保持部材２３３は、基板部２３９と一対の保持手段２４０とを有している。基板部２３９は、中心部に係止孔２３９ａを有した平板状を成す部分であり、雌ネジ部２３６の軸心回りに回転可能となる態様で雌ネジ部２３６の回転係止部２３７と操作部２３８との間に係止させてある。この基板部２３９の長辺は、第１構造材２１０の幅ｄよりも十分に大きな長さを有している。
【００２６】
保持手段２４０は、基板部２３９の互いに略平行となる長辺側縁部からそれぞれ調整部材２３２の操作部２３８に離反する方向に向けて略直角に延在した部分であり、挿入部２４１及び移動規制部２４３を有している。挿入部２４１は、それぞれ一対の係合段部２４１ａを有した舌片状部分であり、第１構造材２１０のスリット２１１に挿入した場合に各係合段部２４１ａを介して係止爪２１２に係合することにより、第１構造材２１０を調整部材２３２の操作部２３８に近接した位置に保持することが可能である。移動規制部２４３は、挿入部２４１の外側縁部から基板部２３９及び挿入部２４１にそれぞれ略直角となる方向に向けて外方に延在し、挿入部２４１を介して第１構造材２１０を保持した場合に、第１構造材２１０の側面に対向配置される平板状部分である。移動規制部２４３には、規制ネジ２４４を螺合させるためのネジ孔２４３ａが設けてある。
【００２７】
ハンガー２５０は、第１構造材２１０に対して第２構造材２２０を取り付けるためのもので、図２、図３及び図１０に示すように、ベースプレート部２５１及びサブプレート部２５２を有している。ベースプレート部２５１は、第１構造材２１０の幅ｄよりも十分に大きな長さを有した矩形の平板状部分である。サブプレート部２５２は、ベースプレート部２５１の一端部側縁から略直角方向に屈曲延在した矩形の平板状部分である。ベースプレート部２５１にはその他端部に第１クリップ部２５３が設けてある一方、サブプレート部２５２にはその先端部に第２クリップ部２５４が設けてある。
【００２８】
第１クリップ部２５３は、ベースプレート部２５１の他端縁部からサブプレート部２５２と略同一方向に延在した弾性舌片である。第１クリップ部２５３とサブプレート部２５２との間には、第１構造材２１０の幅ｄとほぼ同じ幅が確保してある。この第１クリップ部２５３には、屈曲部２５５が設けてある。この屈曲部２５５は、ベースプレート部２５１との間に第１構造材２１０の高さと略同一の距離を確保した位置に配設してある。
【００２９】
第２クリップ部２５４は、サブプレート部２５２のほぼ中央部から一旦外方に向けて突設した後、サブプレート部２５２の先端部と略平行となるように屈曲延在した弾性舌片である。この第２クリップ部２５４とサブプレート部２５２との間には、両者が無負荷状態にある場合、第２構造材２２０の係止部２２１を挟持することのできる間隙が確保してある。またサブプレート部２５２の先端縁部と第２クリップ部２５４の先端縁部とには、互いに対向する部位に係止爪部２５６が設けてある。係止爪部２５６は、互いに近接する方向に向けて突設したもので、サブプレート部２５２及び第２クリップ部２５４がそれぞれ無負荷状態にある場合、互いの間に第２構造材２２０の垂下部２２２を挿通させる一方、第２構造材２２０の係止部２２１を挿通不可とする間隙を確保するように設けてある。
【００３０】
図１１は、上述した天井パネルユニットを躯体のスラブ面ＳＦに施工する場合の手順を例示したフローチャートである。特に、中小事務所ビルを改修する際に実施される天井パネルユニットのリニューアルに最適な施工手順を示してある。以下、この図を参照しながら、天井パネルユニットの施工方法について説明する。尚、以下の説明においては便宜上、既存の天井パネルユニットは既に撤去されたものとする。
【００３１】
まず、改修対象となる居室内に資材の搬入を行う（ステップＳ１００）。この場合、既存のエレベータがあればこれを利用し、あるいは階段を人力で移動させることになるが、本実施の形態では、グラスウールを基材として軽量化した天井パネル１０を適用しているため、揚重作業を容易に行うことが可能である。
【００３２】
次いで、居室内に足場を組み立て（ステップＳ１０１）、その後、柱Ｃ及び梁Ｂにおいて天井パネルユニットを施工する高さ位置に廻縁３０を取り付ける（ステップＳ１０２）。図１に示すように、本実施の形態においては、特に塩化ビニル製で横断面がＬ字状を成す廻縁３０を適用している。塩化ビニル製の廻縁３０を適用するのは、図１中の円内に示すように、柱Ｃ回りの入隅、出隅部分で直角に会合する廻縁３０を４５°の角度に切断する場合、これを現場施工において容易に、かつ正確に行うためである。尚、廻縁は必ずしも塩化ビニル製である必要はなく、樹脂製のものであればその他の材質からなる廻縁を適用しても同様の作用効果を奏する。
【００３３】
尚、天井内配管・配線等の作業は、資材を搬入した後、廻縁３０を取り付ける以前に実施しておくことが好ましい。
【００３４】
次いで、上述した取付装置２３０のスラブ面ＳＦへの取り付けを行う（ステップＳ１０３）。取付装置２３０の取り付けに際しては、予めスラブ面ＳＦに取付位置の墨出を実施しておく。取付装置２３０は、まず、墨出した位置に基準部材２３１を順次固定し、その後、基準部材２３１の雄ネジ部２３５に雌ネジ部２３６を螺合させることにより、基準部材２３１に調整部材２３２を装着する。この場合、調整部材２３２は予め保持部材２３３が保持された状態にある。
【００３５】
照明器具４０を取り付ける個所には、取付装置２３０の取り付けに前後して、例えば墨出と同時期に吊り金具５０の取り付けを行う。本実施の形態では、図２及び図３に示すように、スラブ面ＳＦに取り付けられる取付ブラケット５１と、この取付ブラケット５１から延在した吊りロッド５２とを備える吊り金具５０を適用している。吊りロッド５２としては、照明器具４０が天井パネルユニットよりも居室内側に位置するように、十分な長さを有したものを適用している。
【００３６】
次いで、取付装置２３０の保持部材２３３に対して第１構造材２１０を保持させる作業を行う（ステップＳ１０４）。この場合、第１構造材２１０のスリット２１１を挿入部２４１に挿入させさえすれば、係止爪２１２のそれぞれが挿入部２４１の係合段部２４１ａに係合し、第１構造材２１０を調整部材２３２の操作部２３８に近接した位置に保持させることが可能であるため、その作業を容易に行うことができる。
【００３７】
ここで、保持部材２３３の挿入部２４１にスリット２１１を挿入させた後であっても保持部材２３３に対して第１構造材２１０を長手方向に沿って移動させることが可能である。従って、保持部材２３３に対する第１構造材２１０の長手方向に沿った位置調整作業を実施することができる。その後、移動規制部２４３のネジ孔２４３ａに螺合した規制ネジ２４４を第１構造材２１０の側面に係合させれば、仮に地震が発生した場合にも、取付装置２３０に対する第１構造材２１０の相対移動を規制することができる。
【００３８】
取付装置２３０に保持させた第１構造材２１０に対しては、適宜位置にハンガー２５０を装着し（ステップＳ１０５）、さらにこのハンガー２５０に第２構造材２２０を保持させることによって天井下地２００を構築する（ステップＳ１０６）。
【００３９】
第１構造材２１０へのハンガー２５０の装着作業は、サブプレート部２５２と第１クリップ部２５３との間の間隙に第１構造材２１０を配置させれば良い。ハンガー２５０が第１構造材２１０に対して正確に装着された場合には、第１クリップ部２５３の屈曲部２５５が第１構造材２１０よりも下方に位置し、ベースプレート部２５１に対して第１クリップ部２５３が略直角に延在することになるため、目視により容易に確認することができる。
【００４０】
第２構造材２２０のハンガー２５０への取り付け作業は、サブプレート部２５２に対して第２クリップ部２５４を拡開させ、これらの間に係止部２２１を挿入した後に外力を除去すれば、係止爪部２５６が係止部２２１に係合することによってハンガー２５０からの脱落が阻止されることになる。
【００４１】
第２構造材２２０を取り付けた後においては、天井下地２００のレベル調整を行う。この場合、本実施の形態で適用する取付装置２３０によれば、スパナ等の工具を要することなく、第１構造材２１０の両側面から突出する操作部２３８を介して調整部材２３２を回転操作すれば、雌ネジ部２３６と基準部材２３１の雄ネジ部２３５とのネジの作用によってスラブ面ＳＦと第１構造材２１０との間の距離を変更することが可能であるため、これを容易に行うことができる。しかも、工具を回転操作するための作業スペースをスラブ面ＳＦと第１構造材２１０との間に確保する必要もないため、スラブ面ＳＦに対して第１構造材２１０を近接配置することが可能となり、つまり居室空間の天井高を十分に確保することが可能となり、居室空間のスペース効率を向上させることができるようになる。
【００４２】
レベル調整が終了した後においては、第２構造材２２０と廻縁３０との間をジョイナー（図示せず）によって相互に連結し、また、第２構造材２２０の相互間をクロスバー６０によって相互に連結することにより、天井下地２００に所望の強度を確保する。
【００４３】
最後に、天井下地２００に天井パネル１０を取り付け（ステップＳ１０７）、その後、照明器具４０を含む設備機器を取り付ければ（ステップＳ１０８）、天井パネルユニットの施工が終了する。後は足場を撤去すれば良い（ステップＳ１０９）。天井下地２００に天井パネル１０を取り付ける場合には、第２構造材２２０の載置部２２３に天井パネル１０を載置させ、適宜な方法によって固定すれば良い。本実施の形態では、天井下地２００によって６００ｍｍ×２４００ｍｍのグリッドを構築し、これに１５ｍｍ×５９７ｍｍ×２４００ｍｍの天井パネル１０を取り付けて天井パネルユニットを構成するようにしている。
【００４４】
尚、上述した実施の形態では、天井パネルユニットについて説明したが、躯体のスラブ面と天井下地との間に限らず、例えば鉛直方向に沿って延在する立壁面とパネル下地との間においても同様に適用することが可能である。
【００４５】
また、上述した実施の形態では、グラスウールを基材とし、表面材に化粧ガラス不織布を用いた天井パネルを例示しているため、床材として孔空きフロアー＋通気性タイルカーペットを適用すれば、そのまま全面床吹き出し型の空調システムを構成することが可能であるが、必ずしもグラスウールを基材としたパネルを適用する必要はない。
【００４６】
さらに、上述した実施の形態では、天井パネルユニットよりも居室内側に位置する部位に照明器具４０を配置するようにしているため、天井パネル１０には吊り金具５０の吊りロッド５２が通過するだけの孔１０ａを設ければ良い。これにより、天井パネル１０の廃材としてもこの孔１０ａの分だけとなるため、施工終了後に廃材を搬出する作業を低減することが可能となる。従って、天井パネル１０としてグラスウールを基材としたものを適用し、照明器具４０としてパネルユニットよりも居室内側に位置するものを適用し、廻縁３０として樹脂製のものを適用すれば、揚重作業の容易化、廃材搬出作業の低減、現場施工の容易化を図ることができるようになり、金曜日の夕方から月曜日の早朝までといった限られた短工期にあっても、天井パネルユニットのリニューアルを具現化することが可能となる。しかしながら、照明器具４０としては、必ずしもパネルユニットよりも居室内側に位置するものを適用する必要はない。
【図面の簡単な説明】
【００４７】
【図１】本発明の実施の形態であるパネルユニットを適用した天井面を下から見た概念図である。
【図２】図１における II−II 線断面図である。
【図３】図２における III−III 線断面図である。
【図４】図１に示したパネルユニットに適用する取付装置の分解断面図である。
【図５】図１に示したパネルユニットに適用する取付装置の分解側面図である。
【図６】図４に示した取付装置の断面図である。
【図７】図４に示した取付装置の側面図である。
【図８】図４に示した取付装置の平面図である。
【図９】図４に示した取付装置の底面図である。
【図１０】図１に示したパネルユニットに適用するハンガーの斜視図である。
【図１１】図１に示したパネルユニットを施工する場合の手順を例示したフローチャートである。
【符号の説明】
【００４８】
１０      天井パネル
３０      廻縁
４０      照明器具
５０      吊り金具
６０      クロスバー
２００      天井下地
２１０      第１構造材
２２０      第２構造材
２３０      取付装置
２３１      基準部材
２３２      調整部材
２３３      保持部材
２３５      雄ネジ部
２３６      雌ネジ部
２３７      回転係止部
２３８      操作部
２４０      保持手段
２４３      移動規制部
２５０      ハンガー
【図１】
2006226074.tif 000003
【図２】
2006226074.tif 000004
【図３】
2006226074.tif 000005
【図４】
2006226074.tif 000006
【図５】
2006226074.tif 000007
【図６】
2006226074.tif 000008
【図７】
2006226074.tif 000009
【図８】
2006226074.tif 000010
【図９】
2006226074.tif 000011
【図１０】
2006226074.tif 000012
【図１１】
2006226074.tif 000013